(57)【特許請求の範囲】
【請求項１】
スイッチ本体の内部に収容されたコイルと、棒状の少なくとも一部に設けられた磁性体部が前記コイルを貫通する配置で一端側が前記スイッチ本体を貫通して当該スイッチ本体の内外方向へ向け進退自在に保持された可動部材と、この可動部材における前記スイッチ本体を貫通して外部に導出された一端に設けられた操作部と、前記可動部材を一端側に向け付勢して前記操作部を前記スイッチ本体から所定距離だけ離間する定位置に位置させる弾性部材とを有し、前記操作部が前記弾性部材の付勢力に抗して他端側へ押圧操作されたときに前記可動部材の移動の度合いに対応する微弱電流が前記コイルに発生するのに伴い前記コイルに生じる電圧を出力させるキースイッチと、
このキースイッチの出力電圧をディジタル信号に変換する信号変換部と、
この信号変換部からのディジタル信号の信号レベルに対応したコードを含む指令信号を出力する制御回路と、
ディスク式記録媒体から映像音声信号を再生するディスク装置の全体を制御するとともに、前記制御回路から指令信号が入力されたときに、当該指令信号に含まれるコードに対応付けて予め設定されている倍速の再生速度に切り替えて早送り再生または早戻し再生させる制御を行う制御部と、
を備えたディスク装置の再生速度切替回路。
【請求項２】
一端がアースに接続された前記コイルの他端が接続されて当該コイルの出力電圧を増幅したのち前記信号変換部に対し出力する差動増幅器を備え、
前記制御部が、
前記制御回路から入力する指令信号に含まれる複数のコードにそれぞれ対応する各数値データと再生時の複数段階の倍速とを対応付けて予め記憶されているデータテーブルを参照して、制御回路から入力した指令信号に含まれるコードに対応する倍速の再生速度に切り替えることを特徴とする請求項１に記載のディスク装置の再生速度切替回路。
【発明の詳細な説明】
【技術分野】
【０００１】
本発明は、ＤＶＤ(Digital Versatile Disc)プレイヤー等のディスク装置に係り、特に、再生映像の表示速度を可変させるスイッチを備えたディスク装置の再生速度切替回路に関する。
【背景技術】
【０００２】
ＡＶ機器の入力操作用スイッチの一例として、ボタンのスイッチ切り替えにおける感触を一定にし、切り替えの不具合を解消することを目的とした非接触スイッチが知られている（例えば、特許文献１参照）。
【０００３】
このものは、裏面に塗装等を施したボタンと、電磁誘導により微弱電流を発生させるコイル形状を内部に持ち、微弱電流の変化を感知するコイル状スイッチを備えて構成されている。
【０００４】
これにより、ボタン裏面が近づくので、スイッチ側の磁界が変化すると、スイッチ側が微弱な電流の変化を惹起する。この微弱電流の変化が検出されると、スイッチは切り替わる。
【０００５】
よって、ボタンが物理的な接触をしないから感触が一定となるうえ、機械的な寿命が長くなるというものである。
【特許文献１】特開平１１−１６４６４号公報  また、接点の劣化および接触抵抗の増大から発生する電気的導通不良を防止することを目的としたキースイッチ装置が提案されている（例えば、特許文献２参照）。
【０００６】
このキースイッチ装置は、キートップ部とキーボトム部とにコイルを設け、キースイッチおよび検出回路を備えて構成されている
キースイッチは、前記コイルのどちらか一方に流した電流により、キーを押している間はお互いのコイルが近接して他方のコイルに電磁誘導による電位を発生させ、キーを押していない間はコイル間が離れて電磁誘導による電位を他方のコイルに発生させないようになっている。
【０００７】
また、検出回路は、前記キースイッチから発生した電磁誘導による電位を検出するものである。
【０００８】
上記構成によれば、キートップ部とキーボトム部とのコイルによる電磁誘導で発生する電流により動作検知するので、接点部にゴミが付着してもスイッチの押下を検知することができる。また、非接触であるから、打鍵回数が増加しても接点の劣化よる接触不良の問題が発生せず、押下の検知不良を防止できるというものである。
【特許文献２】特開２０００−３１１５４１号公報
【発明の開示】
【発明が解決しようとする課題】
【０００９】
しかしながら、上記特許文献１の非接触スイッチおよび特許文献２のキースイッチ装置は、何れも接点が非接触に構成されているが、リモコンの押しキー操作の程度に応じてＤＶＤを再生する際の映像表示速度を簡便に可変することはできなかった。
【００１０】
すなわち、ＤＶＤプレイヤーからの再生映像信号をテレビジョン受像機に出力し、その画面に再生映像を表示する際に、再生速度を切り替えたい場合は早送りキーを数回押して順次変更させなければならなかった。
【００１１】
よって、ユーザーは、再生速度を早めるときや遅くしたい場合の何れも早送りキーを押し続ける必要があり、操作性に劣るものであった。
【００１２】
本発明は、上記問題に鑑みてなされたもので、キースイッチの押圧操作の程度に応じてモニタの画面に表示される映像の表示速度を自在に切り替えることができるディスク装置の再生速度切替回路を提供することを目的としている。                 
【課題を解決するための手段】
【００１３】
上記目的を達成するため、本発明によるディスク装置の再生速度切替回路は、スイッチ本体の内部に収容されたコイルと、棒状の少なくとも一部に設けられた磁性体部が前記コイルを貫通する配置で一端側が前記スイッチ本体を貫通して当該スイッチ本体の内外方向へ向け進退自在に保持された可動部材と、この可動部材における前記スイッチ本体を貫通して外部に導出された一端に設けられた操作部と、前記可動部材を一端側に向け付勢して前記操作部を前記スイッチ本体から所定距離だけ離間する定位置に位置させる弾性部材とを有し、前記操作部が前記弾性部材の付勢力に抗して他端側へ押圧操作されたときに前記可動部材の移動の度合いに対応する微弱電流が前記コイルに発生するのに伴い前記コイルに生じる電圧を出力させるキースイッチと、このキースイッチの出力電圧をディジタル信号に変換する信号変換部と、この信号変換部からのディジタル信号の信号レベルに対応したコードを含む指令信号を出力する制御回路と、ディスク式記録媒体から映像音声信号を再生するディスク装置の全体を制御するとともに、前記制御回路から指令信号が入力されたときに、当該指令信号に含まれるコードに対応付けて予め設定されている倍速の再生速度に切り替えて早送り再生または早戻し再生させる制御を行う制御部と、を備えたことを特徴としている。
【００１４】
また、本発明によるディスク装置の再生速度切替回路は、一端がアースに接続された前記コイルの他端が接続されて当該コイルの出力電圧を増幅したのち前記信号変換部に対し出力する差動増幅器を備え、前記制御部が、前記制御回路から入力する指令信号に含まれる複数のコードにそれぞれ対応する各数値データと再生時の複数段階の倍速とを対応付けて予め記憶されているデータテーブルを参照して、制御回路から入力した指令信号に含まれるコードに対応する倍速の再生速度に切り替えることを特徴としている。
【発明の効果】
【００１５】
以上説明したように本発明は、キースイッチの操作部を押圧操作すると、その押圧力に応じた可動部材の移動の度合いに対応する微弱電流がコイルに発生するのに伴いコイルに生じる電圧が出力され、このコイルの出力電圧を変換したディジタル信号の信号レベルに対応したコードを含む指令信号が出力され、この指令信号に含まれるコードに対応付けて予め設定されている倍速の再生速度に切り替えて早送り再生または早戻し再生されるので、ＤＶＤプレイヤーのようなディスク装置においては、従来のように、早送りキーまたは早戻しキーを数回押下する操作を行う必要がなく、操作部を操作するときの押圧力の程度を加減するだけで所望の倍速の再生速度に迅速、且つ簡単に切り替えることができる効果がある。
【００１６】
また、本発明は、コイルの出力電圧が低い場合であっても、この出力電圧を差動増幅器で増幅するので、可動部材の移動の度合いを正確に検知して所望の倍速の再生速度に確実に切り替えることができる。さらに、指令信号に含まれる複数のコードに各々対応する数値データと再生時の複数段階の倍速とを対応付けて予め記憶されているデータテーブルを備えているので、このデータテーブルを参照することにより、制御回路から入力した指令信号に含まれるコードに対応する倍速の再生速度を容易、且つ正確に得ることができる。
【発明を実施するための最良の形態】
【００１７】
以下、本発明に係るディスク装置の再生速度切替回路の実施形態について、図面を参照しながら詳述する。
【００１８】
図１は本発明の一実施形態であるディスク装置の再生速度切替回路を示す電気回路図、図２はスイッチの概要構成を示す断面図である。
【００１９】
本実施形態のディスク装置の再生速度切替回路は、ＤＶＤプレイヤー１に適用されたもので、リモコン(リモートコントローラ) １６のキー操作部に設けられている。
なお、このリモコン１６は、図示省略しているが普及型のリモコンと同じくリモコン本体の上面に電源オン・オフ用のパワーキー、トレイ開閉用の開閉キー、チャンネルや数値入力用のテンキー、メニュー項目表示用のメニューキーその他各種の機能キー等を配設している。
【００２０】
この機能キーは、プレイキー、ストップキー、早送りキー、早戻しキーおよび一時停止キーからなり、信号変換部を介して図１に示すモコン制御回路２４に接続されている。
【００２１】
このリモコン制御回路２４には、送信回路２５が接続されており、前記何れかのキーが押圧操作されて指令信号が入力すると、これに応じたコードを出力し送信回路２５に接続された発光器から赤外線信号を送信させる。
【００２２】
再生速度切替回路１７は、キースイッチ（早送りキー）１８、差動増幅器２２、Ａ／Ｄ変換器２３からなり、前記リモコン制御回路２４に接続されている。
【００２３】
キースイッチ１８は、可動部材１９とコイル２０とからなり、キー操作部に設けられている。
【００２４】
可動部材１９は、フェライト磁性体や磁化した鉄心等からなり、円柱状に形成されている。そして、この可動部材１９は、一端を可動部材１９よりも大径の皿状にして操作部１９ａを設けている。
【００２５】
なお、この可動部材１９は、操作部１９ａ側を合成樹脂材とし、ほぼ中央部から他端１９ｂ側を前記磁性体により形成し、両者を一体化してもよい。
【００２６】
この可動部材１９は、本体の上面１９ａから開設した貫通孔１６ｂから他端１９ｂ側を挿入し、操作部１９ａを上面１９ａから露出させる一方、他端１９ｂ側をガイド部材１６ｃに保持している。
【００２７】
このガイド部材１６ｃは、内径が可動部材１９の外径よりも僅かに大径で、本体の内壁に固着されている。
【００２８】
そして、このガイド部材１６ｃの底部と可動部材１９の他端１９ｂとの間に、バネ体２１が収納されている。このバネ体２１は、上端を可動部材１９の他端１９ｂに、下端をガイド部材１６ｃの底部に係止しており、前記操作部１９ａが上面１６ａから若干離間する状態が定位置となるように弾発力を設定してある。
【００２９】
これにより、操作部１９ａが手指で押圧されると、この押圧力の程度に応じて可動部材１９がガイド部材１６ｃの内周壁に沿って押し込まれ、バネ体２１が圧縮される。一方、操作部１９ａの押圧を緩めると、バネ体２１の弾発力によりガイド部材１９が押し戻されて操作部１９ａが元の位置に戻される。
【００３０】
コイル２０は、円筒状に形成したもので、内径を前記可動部材１９の外径より大きくしてあり、この可動部材１９を緩挿した状態で本体に保持している。このコイル２０は、一端をアースに接続し、他端を差動増幅器２２のマイナス端子に接続している。
【００３１】
この差動増幅器２２は、プラス端子とマイナス端子との間の電圧差を増幅するもので、プラス端子に電源部からの定電圧が導かれている。
【００３２】
そして、出力端子にＡ／Ｄ変換器２３が接続されており、増幅した電圧を出力するようになっている。このＡ／Ｄ変換器２３は、アナログの入力電圧をディジタル信号に変換してリモコン制御回路２４に出力する。
【００３３】
このリモコン制御回路２４は、ディジタル信号のレベルに応じたコードを指令信号として送信回路２５に出力する。この送信回路２５は、前述の如く指令信号を受けて発光器から赤外線信号を送信させる。
【００３４】
以上のように構成された再生速度切替回路１７は、操作部１９ａが手指で押圧されると、可動部材１９が押し込まれてコイル２０内を移動する。すると、このコイル２０に微弱電流が発生し、アース側との間に電位差が生じて差動増幅器２２のマイナス端子に電圧が供給される。
【００３５】
この差動増幅器２２は、プラス端子側とマイナス端子側とに入力する電圧の差に応じた増幅を行い、その出力電圧をＡ／Ｄ変換器２３に送出する。このＡ／Ｄ変換器２３は、アナログ入力のレベルに応じたディジタル信号をリモコン制御回路２４に送出する。
【００３６】
このリモコン制御回路２４は、ディジタル信号のレベルに応じた指令信号を送信回路２５から送信させる。これにより、操作部１９ａの押圧程度に応じた指令信号をＤＶＤプレイヤー１の制御信号として送信できる。
【００３７】
そして、この指令信号がＤＶＤプレイヤー１側で受信されると、ＤＶＤ２から再生される映像信号によりモニタ１１の画面に表示される映像の表示速度を切り替えることができる。
【００３８】
図３は、ディスク装置の電気的構成を示すブロック線図である。
【００３９】
図において、３は駆動系のモータであり、ＤＶＤ２を回転駆動させる。また、４は光ピックアップであって、ＤＶＤ２のトラックから光学的に読み取った情報を信号処理部（図示省略）に送出する。この信号処理部は、読出部６および制御部１５に接続されており、前記読取情報を信号処理してそれぞれに伝送する。
【００４０】
なお、モータ３や光ピックアップ４は、サーボ制御部５により動作速度が制御されるようになっている。
【００４１】
前記読出部６は、ＤＶＤ２から読み出された圧縮映像音響データを分離化部７に送出する。また、この分離化部７は、圧縮映像音響データを圧縮映像データバケットと圧縮音声データバケットとに分離し、伸長部８へ伝送する。
【００４２】
この伸長部８は、前記分離化部７にて分離された圧縮映像データバケットおよび圧縮音声データバケットをそれぞれ復号して元の映像音響情報に伸長する。
これら読出部６、分離化部７および伸長部８は、一般のデコーダＩＣによって構成されている。
【００４３】
また、９は映像情報出力部であって、前記伸長部８により伸長された映像データを、例えば、テレビ等のモニタ１１の画面に表示させるべくＮＴＳＣあるいはＰＡＬ方式のカラーテレビジョン信号に変替して出力する。
【００４４】
１０は音声情報出カ部であり、前記伸長部８によって伸長された音声データをスピーカ１２に送出して放音させる。
【００４５】
１３は、OSD（On Screen Display）用の表示回路であり、出力が映像情報出力部９に接続されている。そして、制御部１５の表示制御に基づき、映像情報出力部９にOSD信号を出力し、モニタ１１の画面に操作ガイド、メニューおよびサインを含む各種操作方法等を表示させる。
【００４６】
１４は、リモコン１６からの赤外線信号を受信する受信部である、
１５はマイクロコンピュータからなる制御部であり、メモリやタイマを備えていて、装置全体の動作を制御する。この制御部１５は、回路各部とその機能に応じて一方向または双方向性に接続されている。
そして、リモコン１６からの指令信号に対応したモードに移行し、サーボ制御部５に制御信号を送出して駆動機構を制御することにより、通常の再生、スロー再生、早送り、早戻しおよび停止といった各種動作を実行する。
【００４７】
また、前記読出部６、分離化部７および伸長部８等の動作制御を行い、ＤＶＤ２の記録情報を読み出してモニタ１１の画面に映像を表示させ、かつスピーカ１２から音声を放音させる。
【００４８】
さらに、この制御部１５は、バッファメモリに映像表示のデータを格納しておき、リモコン１６の指令信号に応じてバッファメモリから映像表示のフレーム単位でデータを読み出すことにより、倍速再生の制御を行う構成となっている。
【００４９】
すなわち、このＤＶＤプレイヤー１は、メモリに数値データと倍速再生の段階とを対応させたデータテーブルを備えている。
【００５０】
数値データは、リモコン１６からの指令信号に含まれるコードが示す前記ディジタル信号のレベルであり、倍速再生の段階は、２倍速、４倍速、８倍速、１６倍速といった早送り再生の速度である。
【００５１】
制御部１５は、指令信号のレベルに基づいてメモリのデータテーブルを照合し、対応する倍速に従ってバッファメモリからフレーム単位のデータを読み出す。
【００５２】
これにより、モニタ１１の画面には、ユーザーが早送りキー１８の押圧操作の程度に応じた倍速で再生映像が表示される。
【００５３】
なお、上記ディスク装置の再生速度切替回路は、リモコン１６に適用する場合について説明したが、ＤＶＤプレイヤーの本体に設けたキー操作部に備える構成としてもよい。
【００５４】
また、キースイッチを早送りキーとする場合について説明したが、早戻し記キーに採用してもよい。
【００５５】
また、本発装置明は上記の各実施形態に限定されず、本発明の趣旨を逸脱しない範囲で、種々の変更が可能である。
【図面の簡単な説明】
【００５６】
【図１】本発明の一実施形態であるディスク装置の再生速度切替回路を示す電気回路図である。
【図２】キースイッチの概要構成を示す断面図である。
【図３】ディスク装置の電気的構成を示すブロック線図である。
【符号の説明】
【００５７】
１８    キースイッチ
１９    可動部材
１９ａ  操作部
１９ｂ  他端
２０    コイル
２３    信号変換部
２４    制御手段
【図１】
0004678145.tif 000002
【図２】
0004678145.tif 000003
【図３】
0004678145.tif 000004